Podtech/llm-jp-corpus-v4-ja_patent huggingface dataset:
【手続補正書】
【提出日】平成25年11月8日(2013.11.8)
【手続補正１】
【補正対象書類名】特許請求の範囲
【補正対象項目名】全文
【補正方法】変更
【補正の内容】
【特許請求の範囲】
【請求項１】
エレクトログラフィ式の印刷機または複写機において少なくとも帯電されたトナー粒子と液体キャリアとを備えた液体現像剤を用いて静電潜像担持体上に形成された印刷しようとする画像の静電潜像を現像する装置において、
静電潜像担持体に隣接して、回転する現像ローラ（１０）が配置されており、該現像ローラ（１０）は、静電潜像を着色するために静電潜像担持体に液体現像剤を供給するものであり、
現像ローラ（１０）に隣接して、現像ローラ（１０）に向いて開いた、液体現像剤を有するチャンバ（Ｋ）が配置されており、
チャンバ（Ｋ）は、回転する少なくとも１つのクリーニングローラ（１３）を備えた、チャンバ（Ｋ）への現像ローラ（１０）の入口域（２０）に配置されたクリーニングユニット（ＲＥ）を備えており、該クリーニングローラ（１３）は、チャンバ（Ｋ）を、現像ローラ（１０）に向かう入口域（２０）でシールしており、現像ローラ（１０）から、残留液体現像剤を除去し、
チャンバ（Ｋ）は、回転する着けローラ（１２）を備えた、チャンバ（Ｋ）からの現像ローラ（１０）の出口域（２１）に配置された着けユニット（ＡＥ）を備えており、着けローラ（１２）は、チャンバ（Ｋ）を、現像ローラ（１０）に向かう出口域（２１）でシールしており、現像ローラ（１０）に液体現像剤を供給し、
クリーニングユニット（ＲＥ）に隣接して配置された混合ユニット（ＭＥ）が設けられており、該混合ユニット（ＭＥ）は、除去された残留液体現像剤を、チャンバ（Ｋ）に新たに供給された液体現像剤と混合し、着けユニット（ＡＥ）と混合ユニット（ＭＥ）との間に、チャンバ（Ｋ）を混合域（１８．２）と着け域（１８．１）とに区切る仕切壁（１１）が配置されており、仕切壁（１１）は、混合域（１８．２）から着け域（１８．１）に通じる貫通孔（１１．１）を備えていることを特徴とする、エレクトログラフィ式の印刷機または複写機において静電潜像担持体上に形成された印刷しようとする画像の静電潜像を現像する装置。
【請求項２】
着けユニット（ＡＥ）の着けローラ（１２）が、第１の電位（Ｕ１２）と接続されており、該着けローラ（１２）に現像ローラ（１０）が当接していて、かつ該着けローラ（１２）の表面で現像ローラ（１０）と同じ方向に回転する、請求項１記載の装置。
【請求項３】
着けローラ（１２）に、該着けローラ（１２）と現像ローラ（１０）との接触域（Ｎｉｐ）の後方で、ドクタ（２６）が接触しており、該ドクタ（２６）は、現像ローラ（１０）に液体現像剤を転移させたあとに着けローラ（１２）に残留している液体現像剤を着けローラ（１２）から除去する、請求項２記載の装置。
【請求項４】
クリーニングユニット（ＲＥ）のクリーニングローラ（１３）が、第２の電位（Ｕ１３）と接続されており、該クリーニングローラ（１３）に現像ローラ（１０）が当接しており、かつ該クリーニングローラ（１３）の表面で現像ローラ（１０）と同じ方向に回転し、クリーニングローラ（１３）および現像ローラ（１０）は、チャンバ（Ｋ）に向かって回転する、請求項１から３までのいずれか１項記載の装置。
【請求項５】
クリーニングローラ（１３）に、現像ローラ（１０）から受取られた液体現像剤を混合域内に除去するための除去手段として、クリーニングエレメント（１７）が当接しており、該クリーニングエレメント（１７）は、チャンバ（Ｋ）をシールする、請求項４記載の装置。
【請求項６】
クリーニングユニット（ＲＥ）は、クリーニングブラシまたはクリーニングスポンジとして形成された別のクリーニングローラ（１４）を備えており、該別のクリーニングローラ（１４）は、前記クリーニングローラ（１３）に隣接して配置されており、別のクリーニングローラ（１４）は、現像ローラ（１０）に当接し、別の残留液体トナーを現像ローラ（１０）から除去し、別のクリーニングローラ（１４）に払拭ロッド（２４）が配置されており、受け取られた残留液体トナーが除去され、混合域（１８．２）に移動される、請求項４または５記載の装置。
【請求項７】
混合ユニット（ＭＥ）は、相互に隣接して配置されかつ混合スクリューとして形成された、相互に逆方向に回転する複数の混合ローラ（１５，１６）を備えており、該混合ローラ（１５，１６）は、クリーニングユニット（ＲＥ）に隣接して配置されており、前記複数の混合ローラ（１６）の１本は、仕切壁（１１）に隣接して、チャンバ（Ｋ）の着け域（１８．１）に通じる貫通孔（１１．１）の付近に配置されている、請求項１から６までのいずれか１項記載の装置。
【請求項８】
着け域（１８．１）に、吸込装置（３０）が設けられており、該吸込装置（３０）は、チャンバ（Ｋ）内に負圧を形成する、請求項１から７までのいずれか１項記載の装置。
【請求項９】
トナー濃度センサ（２８）が、着け域（１８．１）に設けられており、該トナー濃度センサ（２８）は、チャンバ（Ｋ）の混合域（１８．２）へのトナー供給を制御する、請求項１から８までのいずれか１項記載の装置。
【請求項１０】
着け域（１８．１）に充填状態センサ（２９）が配置されており、該充填状態センサ（２９）は、液体現像剤の充填状態（２５）を、液体現像剤が少なくとも現像ローラ（１０）に対する着けローラ（１２）の接触域（Ｎｉｐ）まで達するように制御する、請求項１から９までのいずれか１項記載の装置。
【手続補正書】
【提出日】平成25年12月20日(2013.12.20)
【手続補正１】
【補正対象書類名】特許請求の範囲
【補正対象項目名】全文
【補正方法】変更
【補正の内容】
【特許請求の範囲】
【請求項１】
マトリクス状に配置された複数のピクセルを有する画素部と、
前記画素部と電気的に接続された駆動回路部と、
を有する表示パネルを備え、
前記複数のピクセルの各々は、一又は複数のユニットを有し、
前記複数のユニットの各々は、
酸化物半導体層がゲート絶縁層を介してゲート電極と重畳するように設けられたトランジスタと、
前記トランジスタのソース又はドレインと電気的に接続された画素電極と、
前記画素電極と対向するように設けられた対向電極と、
前記画素電極と前記対向電極との間に設けられた液晶層と、を有し、
前記駆動回路部は、選択されたピクセルに逐次画像信号を書き込んで画像を表示すると共に、同一画像を表示する場合には、画像信号を書き込む動作を停止させると共に前記トランジスタをオフ状態として、書き込まれた画像をそのまま保持させておく機能を有することを特徴とする表示装置。
【請求項２】
マトリクス状に配置された複数のピクセルを有する画素部と、
前記画素部と電気的に接続された駆動回路部と、
を有する表示パネルを備え、
前記複数のピクセルの各々は、一又は複数のユニットを有し、
前記複数のユニットの各々は、
酸化物半導体層がゲート絶縁層を介してゲート電極と重畳するように設けられたトランジスタと、
前記トランジスタのソース又はドレインと電気的に接続された画素電極と、
前記画素電極と対向するように設けられた対向電極と、
前記画素電極と前記対向電極との間に設けられた液晶層と、を有し、
前記駆動回路部は、選択されたピクセルに逐次画像信号を書き込んで画像を表示する書込動作を行なう第１の動作モードと、同一画像を表示する場合には、画像信号を書き込む動作を停止させ、書き込まれた画像をそのまま保持させておく第２の動作モードと、を選択する機能を有することを特徴とする表示装置。
【請求項３】
請求項１又は２において、
同一画像を画面に表示する場合において、１秒より長い間隔で、選択されたピクセルに、前記同一画像の信号を逐次、書き込む機能を有することを特徴とする表示装置。
【請求項４】
請求項１乃至３のいずれか一項において、
前記同一画像の表示は、文字、図形、記号、写真、模様、若しくは絵画、若しくはこれらの結合、又はこれらと色彩の結合を含む静止画像であることを特徴とする表示装置。
【請求項５】
請求項１乃至４のいずれか一項において、
前記表示パネルを照明する照明手段を有し、
前記照明手段の光源は、発光ダイオード、又は有機エレクトロルミネッセンス素子であることを特徴とする表示装置。
【請求項６】
請求項１乃至５のいずれか一項において、
前記液晶層の駆動方式が、ＴＮ方式、ＶＡ方式、ＭＶＡ方式、ＩＰＳ方式、ＣＰＡ方式、ＰＶＡ方式のいずれか一であることを特徴とする表示装置。
【請求項７】
請求項１乃至６のいずれか一項において、
前記液晶層の液晶相が、ネマチック相、スメクチック相、コレステリック相、ブルー相のいずれか一であることを特徴とする表示装置。
【請求項８】
請求項１乃至７のいずれか一項において、
前記ゲート電極は、前記ゲート絶縁層を介して、前記酸化物半導体層の上方又は下方に配置されていることを特徴とする表示装置。
【請求項９】
請求項１乃至８のいずれか一項において、
前記トランジスタのソース電極及びドレイン電極は、金属窒化物を有することを特徴とする表示装置。
【請求項１０】
請求項１乃至９のいずれか一項において、
前記トランジスタは、オン状態において電界効果移動度が、５ｃｍ２／Ｖｓｅｃ以上であることを特徴とする表示装置。
【請求項１１】
請求項１乃至１０のいずれか一項において、
前記トランジスタは、オン状態において電界効果移動度が、１０ｃｍ２／Ｖｓｅｃ以上１５０ｃｍ２／Ｖｓｅｃ以下であることを特徴とする表示装置。
【請求項１２】
請求項１乃至１１のいずれか一項において、
前記液晶を駆動する電圧範囲において、前記トランジスタのオフ電流が室温にて１０ｚＡ／μｍ未満であり、８５℃にて１００ｚＡ／μｍ未満であることを特徴とする表示装置。
【請求項１３】
請求項１乃至１２のいずれか一項において、
前記駆動回路部は、前記画素部と同一基板上に設けられており、
前記駆動回路部は、前記トランジスタの前記ゲート電極に信号を送るゲート線側駆動回路、又は前記トランジスタのソース電極又はドレイン電極に信号を送る信号線側駆動回路を有することを特徴とする表示装置。
【請求項１４】
請求項１乃至１３のいずれか一項において、
前記酸化物半導体層は真性又は実質的に真性な半導体を有し、
前記酸化物半導体層は、前記トランジスタのチャネル形成領域を有することを特徴とする表示装置。
【手続補正書】
【提出日】平成26年1月14日(2014.1.14)
【手続補正１】
【補正対象書類名】明細書
【補正対象項目名】発明の名称
【補正方法】変更
【補正の内容】
【発明の名称】画像形成装置及びその制御方法
【手続補正２】
【補正対象書類名】明細書
【補正対象項目名】００２２
【補正方法】変更
【補正の内容】
【００２２】
原稿搬送ユニット４００は、原稿トレイ４１０に積載された原稿を１枚ずつ連続して原稿読取ユニット２００へ搬送する。なお、原稿搬送ユニット４００には、原稿トレイ４１０に積載される原稿の有無を検知する原稿検知センサ４１２が設けられる。画像読取ユニット３００は、原稿搬送ユニット４００により搬送される原稿の画像をイメージセンサ１７２により読み取る。
【手続補正３】
【補正対象書類名】図面
【補正対象項目名】図２
【補正方法】変更
【補正の内容】
【図２】
2011170330.tif 000001
【手続補正書】
【提出日】平成26年1月6日(2014.1.6)
【手続補正１】
【補正対象書類名】特許請求の範囲
【補正対象項目名】全文
【補正方法】変更
【補正の内容】
【特許請求の範囲】
【請求項１】
画像信号が入力される駆動回路部と、前記駆動回路部から前記画像信号のデータが書き込まれることにより表示状態が制御される画素と、を具備し、動画表示モードと静止画表示モードを有する表示装置の駆動方法であって、
前記静止画表示モードは、第１の期間において、前記駆動回路部により前記画素に前記画像信号のデータを書き込み、その後第２の期間において、前記駆動回路部を動作させるための信号を前記駆動回路部に供給するのを停止させ、その後第３の期間において、前記駆動回路部を動作させるための信号を前記駆動回路部に供給するのを再開させ、前記駆動回路部により前記画素に前記画像信号のデータを書き込むことにより前記画素の表示状態を静止画として維持し、前記第２の期間及び前記第３の期間において、前記駆動回路部への前記駆動回路部を動作させるための信号の供給を停止してから再開するまでの期間の長さを前記表示装置の温度に応じて設定することを特徴とする表示装置の駆動方法。
【請求項２】
請求項１において、
温度検出回路により検出された温度のデータを用いて生成される制御信号により、前記駆動回路の動作が停止してから再開するまでの期間の長さを設定することを特徴とする表示装置の駆動方法。
【請求項３】
請求項１又は請求項２において、
前記第２の期間において、前記駆動回路部を動作させるための信号であるスタート信号及びクロック信号、並びに電源電圧の前記駆動回路部への供給を停止することを特徴とする表示装置の駆動方法。
【請求項４】
請求項１乃至請求項３のいずれか一項において、
前記第３の期間において、前記駆動回路部を動作させるための信号であるスタート信号及びクロック信号、並びに電源電圧の前記駆動回路部への供給を再開させることを特徴とする表示装置の駆動方法。
【請求項５】
液晶表示装置であって、
画像信号、スタート信号、クロック信号、前記画像信号に応じた信号である第１の制御信号、前記液晶表示装置の温度に応じた信号である第２の制御信号、及び電源電圧が入力され、前記第１の制御信号及び前記第２の制御信号に応じて、入力された前記画像信号、前記スタート信号、前記クロック信号、及び前記電源電圧の出力の開始又は停止を選択的に行う表示制御回路と、
前記表示制御回路から前記画像信号、前記スタート信号、前記クロック信号、及び前記電源電圧が順次入力されることにより動作の開始又は停止が制御される駆動回路部と、
前記駆動回路部から前記画像信号のデータが書き込まれることにより表示状態が制御される画素と、
を具備することを特徴とする液晶表示装置。
【請求項６】
液晶表示装置であって、
画像信号が入力され、入力された前記画像信号の状態をデータとして順次記憶する記憶回路と、
前記記憶回路に記憶された前記画像信号のデータが入力され、連続するフレーム期間の画像に対応する前記画像信号のデータを比較し、比較結果に応じた第１の制御信号を生成する比較回路と、
前記第１の制御信号に応じて、選択的に前記記憶回路に記憶された前記画像信号のデータを読み出し、読み出した前記画像信号のデータをデータ信号として出力する選択回路と、
前記液晶表示装置の温度を検出し、検出した温度に応じた第２の制御信号を生成する補正回路と、
スタート信号、クロック信号、前記第１の制御信号、前記第２の制御信号、及び電源電圧が入力され、前記選択回路から前記画像信号が入力され、前記第１の制御信号及び前記第２の制御信号に応じて、入力された前記画像信号、前記スタート信号、前記クロック信号、及び前記電源電圧の出力の開始又は停止を選択的に行う表示制御回路と、
前記表示制御回路から前記画像信号、前記スタート信号、前記クロック信号、及び前記電源電圧が選択的に順次入力されることにより動作の開始又は停止が制御される駆動回路部と、
前記駆動回路部から前記画像信号のデータが書き込まれることにより表示状態が制御される画素と、を具備する液晶表示装置。
【請求項７】
請求項５または請求項６において、
前記画素は、液晶素子と、前記液晶素子に画像信号を出力するか否かを制御するトランジスタと、を有し、前記トランジスタは、チャネル形成層として機能を有し且つキャリア濃度が１×１０１４／ｃｍ３未満である酸化物半導体層を含む液晶表示装置。
【手続補正書】
【提出日】平成25年11月27日(2013.11.27)
【手続補正１】
【補正対象書類名】特許請求の範囲
【補正対象項目名】全文
【補正方法】変更
【補正の内容】
【特許請求の範囲】
【請求項１】
マトリクス状にメモリセルが配列され、主メモリ領域と冗長メモリ領域とを有するメモリセルアレイと、
ワード線及びビット線の信号を制御する駆動回路と、
前記駆動回路の動作を制御するメモリコントローラと、を備え、
前記メモリコントローラは、前記主メモリ領域の中の不良メモリセルのアドレス情報を記憶するメモリ部と、前記不良メモリセルのある行の代わりに前記冗長メモリ領域の行を読み出すために前記冗長メモリ領域のアドレス情報を記憶する冗長アドレス記憶部と、を有することを特徴とする半導体記憶装置。
【請求項２】
マトリクス状にメモリセルが配列され、主メモリ領域と冗長メモリ領域とを有するメモリセルアレイと、
ワード線及びビット線の信号を制御する駆動回路と、
前記駆動回路の動作を制御するメモリコントローラと、を備え、
前記メモリコントローラは、前記主メモリ領域の中の不良メモリセルのアドレス情報を記憶するメモリ部と、前記不良メモリセルのある行の代わりに前記冗長メモリ領域の行を読み出すために前記冗長メモリ領域のアドレス情報を記憶する冗長アドレス記憶部と、を有し、
前記メモリ部は、第１トランジスタのゲート電極と第２トランジスタのドレイン電極が電気的に接続され、前記ゲート電極及び前記ドレイン電極とキャパシタの一方の電極が電気的に接続されているメモリセルによって構成されていることを特徴とする半導体記憶装置。
【請求項３】
請求項２において、
前記第２トランジスタは、酸化物半導体層にチャネル領域が形成されることを特徴とする半導体記憶装置。
【請求項４】
請求項２又は３において、
前記第２トランジスタのチャネル幅１μｍ当たりのオフ電流が１００ａＡ以下であることを特徴とする半導体記憶装置。
【請求項５】
請求項２乃至４のいずれか一において、
前記第２トランジスタを除き、前記駆動回路、前記メモリセルアレイ及び前記メモリコントローラを構成するトランジスタが、シリコン半導体によって形成されていることを特徴とする半導体記憶装置。
【請求項６】
第１トランジスタのゲート電極と第２トランジスタのドレイン電極が電気的に接続され、前記ゲート電極及び前記ドレイン電極と第１キャパシタの一方の電極が電気的に接続されているメモリセルがマトリクス状に配列され、主メモリ領域と冗長メモリ領域とを有するメモリセルアレイと、
ワード線及びビット線の信号を制御する駆動回路と、
前記駆動回路の動作を制御するメモリコントローラと、を備え、
前記メモリコントローラは、前記主メモリ領域の中の不良メモリセルのアドレス情報を記憶するメモリ部と、前記不良メモリセルのある行の代わりに前記冗長メモリ領域の行を読み出すために前記冗長メモリ領域のアドレス情報を記憶する冗長アドレス記憶部と、を有し、
前記メモリ部は、第３トランジスタのゲート電極と第４トランジスタのドレイン電極が電気的に接続され、前記ゲート電極及び前記ドレイン電極と第２キャパシタの一方の電極が電気的に接続されているメモリセルによって構成されていることを特徴とする半導体記憶装置。
【請求項７】
請求項６において、
前記第２トランジスタ及び前記第４トランジスタは、酸化物半導体層にチャネル領域が形成されることを特徴とする半導体記憶装置。
【請求項８】
請求項６又は７において、
前記第２トランジスタ及び前記第４トランジスタのチャネル幅１μｍ当たりのオフ電流が１００ａＡ以下であることを特徴とする半導体記憶装置。
【請求項９】
請求項６乃至８のいずれか一において、
前記第２トランジスタ及び前記第４トランジスタを除き、前記駆動回路、前記メモリセルアレイ及び前記メモリコントローラを構成するトランジスタが、シリコン半導体によって形成されていることを特徴とする半導体記憶装置。
【手続補正書】
【提出日】平成26年2月25日(2014.2.25)
【手続補正１】
【補正対象書類名】特許請求の範囲
【補正対象項目名】全文
【補正方法】変更
【補正の内容】
【特許請求の範囲】
【請求項１】
軸部と、この軸部の一端側に形成される嵌合軸部と、前記軸部と前記嵌合軸部との間に位置して外径方向に延出されるフランジ部とを有する車輪用転がり軸受装置の軸部材の製造方法であって、
熱間圧延によって製造される構造用炭素鋼の長尺丸棒材を球状化焼鈍処理する焼鈍工程と、前記焼鈍工程において球状化焼鈍処理がなされた長尺丸棒材に対して、切断を行うとともに、ピーリング加工によって外周面の脱炭層を除去して、軸状素材を形成する準備工と、
前記軸状素材を冷間鍛造して、前記軸部と、前記嵌合軸部と、前記フランジ部とを一体に有する冷間鍛造品を形成する冷間鍛造工程とを備えていることを特徴とする車輪用転がり軸受装置の軸部材の製造方法。
【請求項２】
請求項１に記載の車輪用転がり軸受装置の軸部材の製造方法であって、
前記準備工程において、球状化率が５０〜８０％の範囲内で焼鈍処理されている軸状素材を準備することを特徴とする車輪用転がり軸受装置の軸部材の製造方法。
【手続補正２】
【補正対象書類名】明細書
【補正対象項目名】０００６
【補正方法】変更
【補正の内容】
【０００６】
前記課題を解決するために、この発明の請求項１に係る軸部材の製造方法は、軸部と、この軸部の一端側に形成される嵌合軸部と、前記軸部と前記嵌合軸部との間に位置して外径方向に延出されるフランジ部とを有する車輪用転がり軸受装置の軸部材の製造方法であって、
熱間圧延によって製造される構造用炭素鋼の長尺丸棒材を球状化焼鈍処理する焼鈍工程と、前記焼鈍工程において球状化焼鈍処理がなされた長尺丸棒材に対して、切断を行うとともに、ピーリング加工によって外周面の脱炭層を除去して、軸状素材を形成する準備工と、
前記軸状素材を冷間鍛造して、前記軸部と、前記嵌合軸部と、前記フランジ部とを一体に有する冷間鍛造品を形成する冷間鍛造工程とを備えていることを特徴とする。
【手続補正３】
【補正対象書類名】明細書
【補正対象項目名】０００８
【補正方法】変更
【補正の内容】
【０００８】
本発明に関連する車輪用転がり軸受装置の軸部材の製造方法は、軸部と、この軸部の一端側に形成される嵌合軸部と、前記軸部と前記嵌合軸部との間に位置して外径方向に延出されるフランジ部とを有する車輪用転がり軸受装置の軸部材の製造方法であって、
熱間圧延によって製造される構造用炭素鋼の長尺丸棒材が球状化焼鈍処理された後、前記長尺丸棒材の外周面の脱炭層がピーリング加工によって除去された長尺素材が所定長さに切断されてなる軸状素材を準備する準備工程と、
前記軸状素材の表面に潤滑剤を被膜処理して被膜処理済み軸状素材を形成する被膜処理工程と、
前記被膜処理済み軸状素材を冷間鍛造して、前記軸部と、前記嵌合軸部と、前記フランジ部とを一体に有する冷間鍛造品を形成する冷間鍛造工程と、
前記冷間鍛造品の所要部分を高周波焼き入れによって部分的に焼入する焼入処理工程と、
前記冷間鍛造品の焼入処理部分を研磨加工して軸部材を形成する研磨工程とを備えていることを特徴とする。
【手続補正４】
【補正対象書類名】明細書
【補正対象項目名】００１０
【補正方法】変更
【補正の内容】
【００１０】
請求項２に係る車輪用転がり軸受装置の軸部材の製造方法は、請求項１に記載の軸部材の製造方法であって、
準備工程において、球状化率が５０〜８０％の範囲内で焼鈍処理されている軸状素材を準備することを特徴とする。
【手続補正書】
【提出日】平成26年11月6日(2014.11.6)
【手続補正１】
【補正対象書類名】特許請求の範囲
【補正対象項目名】請求項５
【補正方法】変更
【補正の内容】
【請求項５】
水素を２０体積％以上含有し残部アルゴンの雰囲気中で１０００℃で１時間加熱後の平均結晶粒径が２００μｍ以上であり、表面の算術平均粗さＲａが０．０５μｍ以下であるグラフェン製造用銅箔。
【手続補正２】
【補正対象書類名】明細書
【補正対象項目名】０００９
【補正方法】変更
【補正の内容】
【０００９】
又、本発明のグラフェン製造用銅箔は、水素を２０体積％以上含有し残部アルゴンの雰囲気中で１０００℃で１時間加熱後の平均結晶粒径が２００μｍ以上であり、表面の算術平均粗さＲａが０．０５μｍ以下である。表面の算術平均粗さＲａが０．０３μｍ以下であることが好ましい。
【手続補正書】
【提出日】平成26年2月21日(2014.2.21)
【手続補正１】
【補正対象書類名】特許請求の範囲
【補正対象項目名】全文
【補正方法】変更
【補正の内容】
【特許請求の範囲】
【請求項１】
所定の方向へ回転する円筒状のベース体と、
前記ベース体の外周面に設けられ前記ベース体と一体になって回転されると共に所定の印刷パターンを構成し導電性インクが充填される複数の凹部が形成されたパターン版とを備え、
前記パターン版の外周面に、前記凹部からはみ出した前記導電性インクを掻き取るブレードが接触され、
前記パターン版の外周面に、前記導電性インクが転写され転写された前記導電性インクを被印刷物に転写して印刷を行うブランケットロールが接触され、
前記凹部に、前記ブレード及び前記ブランケットロールの前記凹部への進入を規制する障壁が設けられた
版胴。
【請求項２】
前記凹部は一部が溝形状にされた凹溝部として形成され、
前記障壁が前記凹溝部の幅方向へ延びるようにされた
請求項１に記載の版胴。
【請求項３】
前記障壁が前記ベース体の回転軸に直交する方向へ延びるようにされた
請求項１又は請求項２に記載の版胴。
【請求項４】
前記障壁が前記凹溝部の延びる方向において複数設けられた
請求項２又は請求項３に記載の版胴。
【請求項５】
前記障壁の両端縁がそれぞれ前記凹溝部の幅方向における反対側の開口縁に連続された
請求項２、請求項３又は請求項４に記載の版胴。
【請求項６】
前記障壁は、一方の端縁が前記凹溝部の幅方向における一方の開口縁に連続され他方の端縁が前記凹溝部の幅方向における他方の開口縁から離隔する第１の障壁と、一方の端縁が前記凹溝部の幅方向における前記他方の開口縁に連続され他方の端縁が前記凹溝部の幅方向における前記一方の開口縁から離隔する第２の障壁とを有する
請求項４に記載の版胴。
【請求項７】
前記第１の障壁と前記第２の障壁が前記凹溝部の延びる方向において離隔して交互に設けられた
請求項６に記載の版胴。
【請求項８】
前記第１の障壁と前記第２の障壁が前記凹溝部の幅方向において重なり合うような長さにされた
請求項７に記載の版胴。
【請求項９】
前記障壁が前記パターン版の前記障壁以外の部分と同一の材料によって一体に形成された
請求項１、請求項２、請求項３、請求項４、請求項５、請求項６、請求項７又は請求項８に記載の版胴。
【請求項１０】
所定の方向へ回転する円筒状のベース体と前記ベース体の外周面に設けられ前記ベース体と一体となって回転されると共に所定の印刷パターンを構成し導電性インクが充填される複数の凹部が形成されたパターン版とを有する版胴と、
前記パターン版の外周面に接触され前記凹部からはみ出した前記導電性インクを掻き取るブレードと、
前記パターン版の外周面に接触され前記導電性インクが転写され転写された前記導電性インクを被印刷物に転写して印刷を行うブランケットロールとを備え、
前記凹部に、前記ブレード及び前記ブランケットロールの前記凹部への進入を規制する障壁が設けられた
印刷装置。
【請求項１１】
前記凹部は一部が溝形状にされた凹溝部として形成され、
前記障壁が前記凹溝部の幅方向へ延びるようにされた
請求項１０に記載の印刷装置。
【請求項１２】
前記障壁が前記ベース体の回転軸に直交する方向へ延びるようにされた
請求項１０又は請求項１１に記載の印刷装置。
【請求項１３】
前記障壁が前記凹溝部の延びる方向において複数設けられた
請求項１１又は請求項１２に記載の印刷装置。
【請求項１４】
前記障壁の両端縁がそれぞれ前記凹溝部の幅方向における反対側の開口縁に連続された
請求項１１、請求項１２又は請求項１３に記載の印刷装置。
【請求項１５】
前記障壁は、一方の端縁が前記凹溝部の幅方向における一方の開口縁に連続され他方の端縁が前記凹溝部の幅方向における他方の開口縁から離隔する第１の障壁と、一方の端縁が前記凹溝部の幅方向における前記他方の開口縁に連続され他方の端縁が前記凹溝部の幅方向における前記一方の開口縁から離隔する第２の障壁とを有する
請求項１３に記載の印刷装置。
【請求項１６】
前記第１の障壁と前記第２の障壁が前記凹溝部の延びる方向において離隔して交互に設けられた
請求項１５に記載の印刷装置。
【請求項１７】
前記第１の障壁と前記第２の障壁が前記凹溝部の幅方向において重なり合うような長さにされた
請求項１６に記載の印刷装置。
【請求項１８】
前記障壁が前記パターン版の前記障壁以外の部分と同一の材料によって一体に形成された
請求項１０、請求項１１、請求項１２、請求項１３、請求項１４、請求項１５、請求項１６又は請求項１７に記載の印刷装置。
【請求項１９】
所定の方向へ回転する円筒状のベース体と前記ベース体の外周面に設けられ前記ベース体と一体となって回転されると共に所定の印刷パターンを構成する複数の凹部が形成され前記凹部に障壁が設けられたパターン版とを有する版胴の前記凹部に導電性インクを充填し、
前記凹部からはみ出した前記導電性インクを前記パターン版の外周面及び前記障壁に接触されるブレードによって掻き取り、
前記凹部に充填された前記導電性インクを前記パターン版の外周面及び前記障壁に接触されるブランケットロールに転写し、
前記ブランケットロールに転写された前記導電性インクを被印刷物に転写して印刷する
印刷方法。
【手続補正２】
【補正対象書類名】明細書
【補正対象項目名】０１６４
【補正方法】変更
【補正の内容】
【０１６４】
（５）前記障壁の両端縁がそれぞれ前記凹溝部の幅方向における反対側の開口縁に連続された前記（２）から前記（４）の何れかに記載の版胴。
【手続補正３】
【補正対象書類名】明細書
【補正対象項目名】０１７３
【補正方法】変更
【補正の内容】
【０１７３】
（１４）前記障壁の両端縁がそれぞれ前記凹溝部の幅方向における反対側の開口縁に連続された前記（１１）から前記（１３）の何れかに記載の印刷装置。
【手続補正書】
【提出日】平成26年2月21日(2014.2.21)
【手続補正１】
【補正対象書類名】特許請求の範囲
【補正対象項目名】全文
【補正方法】変更
【補正の内容】
【特許請求の範囲】
【請求項１】
印刷が終了してから吸引ファンの運転を休止させるまでの休止待ち時間が外部からの入力に基づいて予め設定され、
用紙を前記吸引ファンで吸引された吸引プラテンに吸引し、
印刷データを前記吸引プラテンに吸引された用紙に印刷し、
印刷が終了した後、予め設定された前記休止待ち時間中、前記吸引ファンを動作し、
前記休止待ち時間後、前記吸引ファンを停止することを特徴とするプリンターの制御方法。
【請求項２】
前記休止待ち時間中に印刷要求を受信した場合には、前記休止待ち時間後前記吸引ファンの運転を休止させずに印刷を行う請求項１に記載のプリンターの制御方法。
【請求項３】
前記休止待ち時間中の前記吸引ファンの運転強度を、印刷時より弱くする請求項１または２に記載のプリンターの制御方法。
【請求項４】
吸引ファンと、
前記吸引ファンと接続される空気経路と、
前記空気経路と接続し、用紙を吸引する吸引プラテンと、
前記吸引プラテンに吸引された前記用紙に印刷を行うインクジェットヘッドと、
前記吸引ファンの休止状態の設定を記憶し、記憶された前記吸引ファンの休止状態の設定に応じて印刷が終了した後の前記吸引ファンの動作を制御する制御部と、
を有することを特徴とするプリンター。
【請求項５】
前記制御部は、印刷が終了した後、前記吸引ファンを休止させない第１のモード、もしくは設定された休止待ち時間後吸引ファンを停止させる第２のモードで制御する請求項４に記載のプリンター。
【請求項６】
前記制御部が前記第２のモードで制御しているとき、前記休止待ち時間中に印刷要求を受信した場合には、前記休止待ち時間後前記吸引ファンの運転を休止させずに印刷を行う請求項５に記載のプリンター。
【請求項７】
前記制御部が前記第２のモードで制御しているとき、前記休止待ち時間中の前記吸引ファンの運転強度を、印刷時より弱くする請求項５または６に記載のプリンター。
【手続補正書】
【提出日】平成26年3月4日(2014.3.4)
【手続補正１】
【補正対象書類名】特許請求の範囲
【補正対象項目名】全文
【補正方法】変更
【補正の内容】
【特許請求の範囲】
【請求項１】
収納部に収納されたファンフォールド紙を給送手段によって引き出して給送する給紙装
置において、
前記収納部と、前記収納部の上部とにファンフォールド紙を昇降させるための昇降手段と、
前記昇降手段によって下降するファンフォールド紙を、前記給送手段による引き出し方向に対して傾斜させる傾斜手段と、を備えた、
ことを特徴とする給紙装置。
【請求項２】
前記昇降手段は、ファンフォールド紙を支持する支持部を有し、
前記傾斜手段は、下降する前記支持部に当接して前記支持部を押し上げることにより、前記支持部に支持されたファンフォールド紙を前記引き出し方向に対して傾斜させる、
ことを特徴とする請求項１に記載の給紙装置。
【請求項３】
前記傾斜手段は、下降するファンフォールド紙を押すことにより、該ファンフォールド紙を前記引き出し方向に対して傾斜させる、
ことを特徴とする請求項１に記載の給紙装置。
【請求項４】
ファンフォールド紙に画像を形成する画像形成手段と、
前記画像形成手段にファンフォールド紙を給送する請求項１乃至３のいずれか１項に記載の給紙装置と、を備えた、
ことを特徴とする画像形成装置。
【手続補正２】
【補正対象書類名】明細書
【補正対象項目名】０００９
【補正方法】変更
【補正の内容】
【０００９】
本発明の給紙装置は収納部に収納されたファンフォールド紙を給送手段によって引き出して給送するようになっており、前記収納部と、前記収納部の上部とにファンフォールド紙を昇降させるための昇降手段と、前記昇降手段によって下降するファンフォールド紙を、前記給送手段による引き出し方向に対して傾斜させる傾斜手段と、を備えている。
【手続補正３】
【補正対象書類名】明細書
【補正対象項目名】００２５
【補正方法】変更
【補正の内容】
【００２５】
給紙装置２１は、突起２４の他に、用紙積載トレイ２５、傾動板２６、昇降装置３０、センサＳ１，Ｓ２及びスイッチＳＷ２等を備えている。
【手続補正４】
【補正対象書類名】明細書
【補正対象項目名】００３７
【補正方法】変更
【補正の内容】
【００３７】
収納部２２の収納枠２９には、突起２４が立設されている。このため、昇降トレイ３１が所定の高さまで下降すると、突起２４は、昇降トレイ３１に形成されている不図示の貫通孔と、用紙積載トレイ２５（図４）の貫通孔３５を貫通して傾動板２６に当接して傾動板２６を押し上げる。傾動板２６は、用紙積載トレイ２５にバーリングによる突部２５ａに回転自在に設けられている。このため、傾動板２６は、用紙積載トレイ２５が昇降トレイ３１によって下降させられているとき、突起２４に受け止められて、用紙積載トレイ２５の下降にともなって、押し上げられて突部２５ａを中心に回転する。傾動板２６は、用紙の下部後端部を支持する支持面２６ｂを有しており（図３）、その支持面２６ｂによって、用紙の下部後端部Ｗｃを押し上げて、用紙全体を用紙搬送側に角度α（例えば、７度）だけ傾ける（図１、図６）。
【手続補正書】
【提出日】平成26年8月20日(2014.8.20)
【手続補正１】
【補正対象書類名】特許請求の範囲
【補正対象項目名】全文
【補正方法】変更
【補正の内容】
【特許請求の範囲】
【請求項１】
板材の面にコーティング層を形成するコーティング工程と、
前記コーティング層が形成された複数の前記板材を、前記コーティング層が形成された面で囲まれたセルを形成するように組み立てる組立工程と、
前記形成されたセル内にアルカリ金属原子を充填する充填工程と
を有するガスセルの製造方法。
【請求項２】
前記板材は、第１面と、前記第１面の裏に第２面を有し、
前記コーティング工程において、前記板材の前記第１面および前記第２面に前記コーティング層が形成され、
前記組立工程において、前記第１面を含む複数の面で囲まれた第１セルおよび前記第２面を含む複数の面で囲まれた第２セルを含む複数の前記セルが形成される
ことを特徴とする請求項１に記載の製造方法。
【請求項３】
前記複数のセルは、内部にアルカリ金属固体が置かれた第３セルを有し、
前記第１セルおよび前記第２セルと前記第３セルとの間の前記板材には貫通孔が設けられており、
前記充填工程は、前記第３セル内の前記アルカリ金属固体を気化してアルカリ金属ガスを発生させる気化工程と、発生した前記アルカリ金属ガスを前記貫通孔を介して前記第３セルから前記第１セルおよび前記第２セルに拡散させる拡散工程とを含む
ことを特徴とする請求項２に記載の製造方法。
【請求項４】
前記複数のセルは、第４セルおよび第５セルを有し、
前記第１セル、前記第２セル、前記第４セル、および前記第５セルを含むセル群は、平面上に２次元配置され、
前記第３セルは、前記平面上に位置する
ことを特徴とする請求項３に記載の製造方法。
【請求項５】
前記複数のセルは、第４セルおよび第５セルを有し、
前記第１セル、前記第２セル、前記第４セル、および前記第５セルを含むセル群は、平面上に２次元配置され、
前記第３セルは、前記セル群に対して前記平面に垂直な方向に積まれている
ことを特徴とする請求項３に記載の製造方法。
【請求項６】
前記コーティング層が形成された前記板材を複数に切断する切断工程を有し、
前記組立工程において、前記切断工程により得られた複数の板材が組み立てられる
ことを特徴とする請求項１ないし５のいずれか一項に記載の製造方法。
【請求項７】
閉空間を形成する外壁と、
前記閉空間を複数のセルに仕切る内壁と、
前記内壁に形成され、隣接するセルのうち少なくとも１つのセル同士を結ぶ貫通孔と、
前記セル内に封入されたアルカリ金属原子と
を有するガスセル。
【請求項８】
パッケージとリッドとを接合して主室を形成する接合工程と、
前記主室の内壁にコーティング層を形成するコーティング工程と、
前記主室内にアルカリ金属ガスを充填する充填工程と
を含む事を特徴とするガスセルの製造方法。
【請求項９】
パッケージとリッドとを接合して主室を形成する接合工程と、
前記主室の内壁にコーティング層を形成するコーティング工程と、
前記主室内にアルカリ金属ガスを充填する充填工程と
を含む事を特徴とする磁気測定装置の製造方法。
【請求項１０】
主室と、
狭窄孔と、
前記主室に前記狭窄孔を介して連通するアンプル収容室と、
前記主室内に気密封止されているアルカリ金属ガスと
を備える事を特徴とするガスセル。
【請求項１１】
前記アンプル収容室は、断面がＶ字形状である事を特徴とする請求項１０に記載のガスセル。
【請求項１２】
請求項７、１０、または１１に記載のガスセルを備える事を特徴とする磁気計測装置。
【手続補正２】
【補正対象書類名】明細書
【補正対象項目名】発明の名称
【補正方法】変更
【補正の内容】
【発明の名称】ガスセルの製造方法、ガスセルおよび磁気計測装置
【手続補正書】
【提出日】平成26年3月6日(2014.3.6)
【手続補正１】
【補正対象書類名】特許請求の範囲
【補正対象項目名】全文
【補正方法】変更
【補正の内容】
【特許請求の範囲】
【請求項１】
任意の音声を被験者に聴取させ、それを正しく聴取できたか否かを検査する聴取力検査方法であって、予め回答用紙に表示した複数の単語からなる単語群から、任意の一単語を発声して被験者に聴取させ、その被験者に回答用紙の該当する単語群から、聴取した単語と同じ若しくは最も近い一単語を選択させることとし、前記単語群が、互いに同じモーラ数で、同じ母音構成を有し、同じ発声順位にある一部分のみが異なる発声となる無意味な単語のみからなることを特徴とする聴取力検査方法。
【請求項２】
請求項１に記載の聴取力検査方法に用いる回答用紙であって、請求項１から５のいずれかに記載の単語群が示され、共通した発声部分が互いに異なる複数の単語群がそれぞれ群毎に視覚判別可能にして表示されているか、一つの単語群が表示されていることを特徴とする回答用紙。
【請求項３】
請求項２に記載の回答用紙を用いた聴取力検査システムであって、前記回答用紙の表示がコンピュータ画面に表示可能なユーザインタフェースとされていて、当該ユーザインタフェースには、前記回答用紙の単語群毎に発声開始手段が、その単語群に含まれる単語毎に回答手段がそれぞれ設けられ、被験者が、コンピュータ画面上で、発声開始手段を起動させることで、その群に含まれる予め設定された単語を発声させる発声手段と、発声後一定時間内にその群に含まれる単語のいずれか最初に回答手段を起動させた一つの単語を記録する回答記録手段と、各単語群の発声単語と回答記録手段に記録された単語との一致不一致を判定する判定手段とが組み込まれていることを特徴とする聴取力検査システム。
【手続補正２】
【補正対象書類名】明細書
【補正対象項目名】０００５
【補正方法】変更
【補正の内容】
【０００５】  発明１の聴取力検査方法は、任意の音声を被験者に聴取させ、それを正しく聴取できたか否かを検査する聴取力検査方法であって、予め回答用紙に表示した複数の単語からなる単語群から、任意の一単語を発声して被験者に聴取させ、その被験者に回答用紙の該当する単語群から、聴取した単語と同じ若しくは最も近い一単語を選択させ、その正否により聴取力を評価することとし、前記単語群が、互いに同じモーラ数で、同じ母音構成を有し、同じ発声順位にある一部分のみが異なる発声となる無意味な単語のみからなることを特徴とする。
また、発明１の聴取力検査方法において、一単語群の中の異なる発声部分は、清音のみに限定したり、前記単語群を構成する単語のモーラ数を３から７に限定したり、異なる発声部分のモーラ数が各単語の全モーラ数の１／２以下で、単語の末尾又は中間に存在するように設定することも可能である。
さらに、異なる環境化において同じ被験者に対して同様な単語群を用いて検査することも可能である。
【手続補正３】
【補正対象書類名】明細書
【補正対象項目名】０００６
【補正方法】変更
【補正の内容】
【０００６】  発明２は、発明１の聴取力検査方法に用いる回答用紙であって、発明１の単語群が示され、共通した発声部分が互いに異なる複数の単語群がそれぞれ群毎に視覚判別可能にして表示されているか、一つの単語群が表示されていることを特徴とする。
また、この回答用紙には、被験者の過去の聴力検査データを含む個人情報を記入する部分が設けることも可能である。
【手続補正４】
【補正対象書類名】明細書
【補正対象項目名】０００７
【補正方法】変更
【補正の内容】
【０００７】発明３は、発明２の回答用紙を用いた聴取力検査システムであって、前記回答用紙の表示がコンピュータ画面に表示可能なユーザインタフェースとされていて、当該ユーザインターフェイスには、前記回答用紙の単語群毎に発声開始手段が、その単語群に含まれる単語毎に回答手段がそれぞれ設けられ、被験者が、コンピュータ画面上で、発声開始手段を起動させることで、その群に含まれる予め設定された単語を発声させる発声手段と、発声後一定時間内にその群に含まれる単語のいずれか最初に回答手段を起動させた一つの単語を記録する回答記録手段と、各単語群の発声単語と回答記録手段に記録された単語との一致不一致を判定する判定手段とが組み込まれていることを特徴とする。
さらに、このシステムでは、前記回答用紙の表示がコンピュータ画面に表示可能にユーザインタフェースとされていて、当該ユーザインターフェイスには、単語群毎に発声開始手段が、その単語群に含まれる単語毎に回答手段がそれぞれ設けられ、その発声開始手段と回答手段がコンピュータネットワークを介して特定のメインプログラムに連動され、当該メインプログラムには、前記発生開始手段からの開始信号を受信して、特定の発生信号を、開始信号を発信したサイトに送信する発声手段と、前記回答手段からの回答信号を受信して、その信号が直前に発信した発声信号の同一サイトからの同一単語群からのものである場合に、それが発声後一定時間内で、最初に回答信号である場合にその信号を記録する回答記録手段と、同一サイトの同一群の発声信号と前記回答記録手段に記録されたと単語とを比較してその正誤を判別する判定手段と、当該判定手段による判定結果を一連のサイトに発信する判定発信手段とを有することも可能で有る。
【手続補正書】
【提出日】平成26年2月27日(2014.2.27)
【手続補正１】
【補正対象書類名】特許請求の範囲
【補正対象項目名】全文
【補正方法】変更
【補正の内容】
【特許請求の範囲】
【請求項１】
被検者眼の眼底を照明するための眼底照明光学系と、
光源から出射された光で前記眼底にフォーカス指標を投影するためのフォーカス指標投影光学系と、
光軸方向に移動可能なフォーカシングレンズと、前記眼底に投影された前記フォーカス指標を撮像可能な撮像素子とを備える眼底撮像光学系と、
を備える眼底撮影装置であって、
前記撮像素子によって撮像された前記フォーカス指標に基づいて被検眼に対する前記眼底撮像光学系のフォーカス状態を検出する検出手段と、
前記検出手段の検出結果に基づいて生成される電子的なインジケータと、前記撮像素子によって撮像された前記フォーカス指標と、を同時にモニタへ表示するための制御手段と、
を備えることを特徴とする眼底撮影装置。
【請求項２】
請求項１の眼底撮影装置であって、
前記撮像素子は、さらに、前記フォーカス指標を含む眼底像を撮像可能であり、
前記制御手段は、前記電子的なインジケータを、前記フォーカス指標を含む前記眼底像に重ねて表示することを特徴とする眼底撮影装置。
【請求項３】
請求項１または２の眼底撮影装置であって、
前記制御手段は、前記検出手段による検出結果に基づき、合焦状態と合焦していない状態とで、前記インジケータの表示状態を切換えることを特徴とする眼底撮影装置。
【請求項４】
請求項１〜３の何れか一項の眼底撮影装置であって、
前記制御手段は、前記検出手段による検出結果に基づき、合焦状態と合焦していない状態とで、前記インジケータを形成する少なくとも１部の図柄の色を変えることを特徴とする眼底撮影装置。
【請求項５】
請求項１〜４の何れか一項の眼底撮影装置であって、
前記フォーカシングレンズを駆動する駆動手段を備え、
前記制御手段は、前記検出手段の検出結果に基づいて前記駆動手段の駆動を制御し、前記眼底に対してオートフォーカスを行うことを特徴とする眼底撮影装置。
【手続補正２】
【補正対象書類名】明細書
【補正対象項目名】０００７
【補正方法】変更
【補正の内容】
【０００７】
（１）  被検者眼の眼底を照明するための眼底照明光学系と、光源から出射された光で前記眼底にフォーカス指標を投影するためのフォーカス指標投影光学系と、光軸方向に移動可能なフォーカシングレンズと、前記眼底に投影された前記フォーカス指標を撮像可能な撮像素子とを備える眼底撮像光学系と、を備える眼底撮影装置であって、前記撮像素子によって撮像された前記フォーカス指標に基づいて被検眼に対する前記眼底撮像光学系のフォーカス状態を検出する検出手段と、前記検出手段の検出結果に基づいて生成される電子的なインジケータと、前記撮像素子によって撮像された前記フォーカス指標と、を同時にモニタへ表示するための制御手段と、を備えることを特徴とする。
【誤訳訂正書】
【提出日】平成26年6月3日(2014.6.3)
【誤訳訂正１】
【訂正対象書類名】明細書
【訂正対象項目名】００１７
【訂正方法】変更
【訂正の内容】
【００１７】
マイクロニードル適用デバイスの一実施形態を図１Ａおよび１Ｂに示す。適用デバイス１００は、隆起した中心領域１１５を有するフレキシブルシート１１０を含んでなる。シートは、マイクロニードルデバイス１２０の適用中、皮膚表面と一般的に平行に方向付けられる主平面を含んでなる（図２Ａに示される）。フレキシブルシートは、十分な力がシートの主平面に対して直交方向で適用される時にシートの主平面に対して直交方向の段階的な運動を受けるように構成される（図２Ｂに示される）。このような段階的な運動は、皮膚表面の方へマイクロニードルデバイス１２０を移動させる方向における突然の運動であり、そして隆起した上方へ曲がった中心領域から、くぼんだ下方へ曲がった中心領域への迅速な曲げおよび逆転によって実行される。この段階的な運動は、フレキシブルシートが凸状の向き（図２Ａに示される）から凹状の向き（図２Ｂに示される）へと移動する時にカチッという音またはパチンという音を付随し得る。段階的な運動に付随される音は、マイクロニードル適用デバイスが引き起こされたこと、およびマイクロニードルデバイスが皮膚に挿入されたことを患者または医療提供者に示すために使用されてもよい。段階的な運動を生じるために、予め決められた最小量の力が必要とされ、それによってマイクロニードルデバイス１２０を皮膚表面１５０に適用するために一定量の力が使用されることは望ましい。
【誤訳訂正２】
【訂正対象書類名】明細書
【訂正対象項目名】００２３
【訂正方法】変更
【訂正の内容】
【００２３】
本発明の適用デバイス２００のもう１つの実施形態を図７Ａ〜Ｂに示す。適用デバイス２００は、隆起した中心領域２１５を有するフレキシブルシート２１０を含んでなる。シートは、マイクロニードルデバイス２２０の適用の間、皮膚表面と一般的に平行に方向付けられる主平面を含んでなる（図８Ａに示される）。フレキシブルシート２１０は、使用中に皮膚表面と接触するように構成されるスペーサー要素２４０を有する。適用デバイス２００は、フレキシブルシート２１０に取り付けられ、スペーサー要素２４０の反対側の隆起側面２５０を有する。フレキシブルシートは、シートの主平面に対して平行方向で十分な力が隆起側２５０に適用される時に、それがシートの主平面に対して直交方向の段階的な運動を受けるように構成される（図８Ａ、Ｂに示される）。このような段階的な運動は、皮膚表面の方へマイクロニードルデバイス２２０を移動させる方向における急速な運動であり、そして隆起した上方へ曲がった中心領域から、くぼんだ下方へ曲がった中心領域への迅速な曲げおよび逆転によって実行される。この段階的な運動は、フレキシブルシートが凸状の向き（図８Ａに示される）から凹状の向き（図８Ｂに示される）へと移動する時にカチッという音またはパチンという音を付随し得る。段階的な運動に付随される音は、マイクロニードル適用デバイスが引き起こされたこと、およびマイクロニードルデバイスが皮膚に挿入されたことを患者または医療提供者に示すために使用されてもよい。段階的な運動を生じるために、予め決められた最小量の力が必要とされ、それによってマイクロニードルデバイス２２０を皮膚表面２６０に適用するために一定量の力が使用されることは望ましい。
【誤訳訂正３】
【訂正対象書類名】特許請求の範囲
【訂正対象項目名】全文
【訂正方法】変更
【訂正の内容】
【特許請求の範囲】
【請求項１】
マイクロニードルデバイスに取り付けられた隆起した中心領域を有するフレキシブルシートと、該フレキシブルシートの周囲の、又は該周囲の付近の支持部材とを含んでなり、皮膚表面に関して凸状から凹状の向きへと該フレキシブルシートが変化し得るように、該フレキシブルシートが該シートの主平面に対して直交方向の段階的な運動を受けるように構成され、該段階的な運動が、該皮膚表面に向かって該マイクロニードルデバイスを移動させる方向での急速な運動であって、隆起した上方へ曲がった中心領域からくぼんだ下方へ曲がった中心領域への迅速な曲げおよび逆転によって実行されるものであり、該皮膚との衝撃時に該マイクロニードルデバイスによって達成される最大速度が２ｍ／ｓ以上、２０ｍ／ｓ以下であって、該フレキシブルシートが該凸状の向きから該凹状の向きへと移動する際に該段階的な運動が音を伴う、皮膚表面にマイクロニードルデバイスを適用するための適用デバイス。
【請求項２】
マイクロニードルデバイスに解放可能に取り付けられるように構成された隆起した中心領域を有するフレキシブルシートと、該フレキシブルシートの周囲の、又は該周囲の付近の支持手段とを含んでなり、皮膚表面に関して凸状から凹状の向きへと該フレキシブルシートが変化し得るように、該フレキシブルシートが該シートの主平面に対して直交方向の段階的な運動を受けるように構成され、該段階的な運動が、該皮膚表面に向かって該マイクロニードルデバイスを移動させる方向での急速な運動であって、隆起した上方へ曲がった中心領域からくぼんだ下方へ曲がった中心領域への迅速な曲げおよび逆転によって実行されるものであり、該皮膚との衝撃時に該マイクロニードルデバイスによって達成される最大速度が２ｍ／ｓ以上、２０ｍ／ｓ以下であって、該フレキシブルシートが該凸状の向きから該凹状の向きへと移動する際に該段階的な運動が音を伴う、皮膚表面にマイクロニードルデバイスを適用するための適用デバイス。
【請求項３】
前記支持部材が前記フレキシブルシートの周囲に取り付けられたスペーサーを含んでなる、請求項１または２に記載のデバイス。
【請求項４】
前記段階的な運動を引き起こすために予め決められた最小量の力が必要とされる、請求項１または２に記載のデバイス。
【請求項５】
前記支持部材を前記皮膚表面に固定するための接着剤をさらに含んでなる、請求項１または２に記載のデバイス。
【請求項６】
前記スペーサーに取り付けられた保護面をさらに含んでなる、請求項３に記載のデバイス。
【請求項７】
隆起した中心領域を有するフレキシブルシートを含んでなり、皮膚表面に関して凸状から凹状の向きへと該フレキシブルシートが変化し得るように、該フレキシブルシートの平面に対して垂直方向の該隆起した中心領域の段階的な運動によってマイクロニードルデバイスが皮膚に対して進行され、該段階的な運動が、該皮膚表面に向かって該マイクロニードルデバイスを移動させる方向での急速な運動であって、隆起した上方へ曲がった中心領域からくぼんだ下方へ曲がった中心領域への迅速な曲げおよび逆転によって実行されるものであり、該皮膚との衝撃時に該マイクロニードルデバイスによって達成される最大速度が２ｍ／ｓ以上、２０ｍ／ｓ以下であって、該フレキシブルシートが該凸状の向きから該凹状の向きへと移動する際に該段階的な運動が音を伴う、皮膚表面にマイクロニードルデバイスを適用するための適用デバイス。
【請求項８】
前記シートの力の主平面に対して直交方向の段階的な運動が、該シートの主平面に対して直行方向の力の適用によって引き起こされる、請求項１または２に記載のデバイス。
【請求項９】
前記マイクロニードルデバイスが前記フレキシブルシートに解放可能に取り付けられた、請求項１に記載のデバイス。